(57)【特許請求の範囲】
【請求項１】
供給リール及び巻取リールが回転自在に設けられた支持体と、前記支持体が内蔵されたテープケースとを有しており、前記支持体には、供給リールに巻かれたテープケースが巻取リールに巻き取られるを案内するテープヘッドが設けられており、前記支持体は、前記テープヘッドが前記テープケースの開口から突出・後退するようにテープケースの内部に摺動自在に設けられている、
という構成であって、
前記支持体には、当該支持体を前進させて前記テープヘッドをテープケースの開口から突出させる操作体がテープケースの外側に突出するように設けられている一方、前記テープケースの内部には前記支持体を後退させるバネが配置されており、更に、前記支持体とテープケースとに、互いに係合して前記支持体を前進状態に保持するロック体が設けられており、前記支持体には、前記ロック体の係合を解除して支持体を前記バネにて後退させる解除ボタンが形成されている、
転写テープ具。
【発明の詳細な説明】
【０００１】
【発明の属する技術分野】
本発明は、例えば紙面に不透明膜を転写して文字などを消す修正テープ、または糊を転写する糊付テープなどの転写テープが内蔵される転写テープ具に関する。
【０００２】
【従来の技術】
従来、転写テープが巻かれる供給リールと巻取リールを支持体に設け、前記支持体をテープケースに内蔵した転写テープ具がある。（例えば、特許文献１参照）
【０００３】
【特許文献１】
特開２０００−２１１７９９号公報
【０００４】
【発明が解決しようとする課題】
前記従来技術は、転写テープを案内するテープヘッドがテープケースから常に突出していたから、テープヘッドを覆うキャップを設ける必要がある等の製造コスト上の問題があると共に、使用に際しては前記キャップを取外したり摺動させたりしてテープヘッドを露出させる操作を行う必要がある等の操作上の問題がある。また、キャップを取外したときに紛失し易い不具合もある。
【０００５】
【課題を解決するための手段】
そこで本願発明が成されたものである。本願発明は、まず、供給リール及び巻取リールが回転自在に設けられた支持体と、前記支持体が内蔵されたテープケースとを有しており、前記支持体には、供給リールに巻かれたテープケースが巻取リールに巻き取られるを案内するテープヘッドが設けられており、前記支持体は、前記テープヘッドが前記テープケースの開口から突出・後退するようにテープケースの内部に摺動自在に設けられている、という構成になっている。
【０００６】
更に、前記支持体には、当該支持体を前進させて前記テープヘッドをテープケースの開口から突出させる操作体がテープケースの外側に突出するように設けられている一方、前記テープケースの内部には前記支持体を後退させるバネが配置されており、更に、前記支持体とテープケースとに、互いに係合して前記支持体を前進状態に保持するロック体が設けられており、前記支持体には、前記ロック体の係合を解除して支持体を前記バネにて後退させる解除ボタンが形成されている。
【０００７】
【発明の実施の形態】
以下、本発明の実施形態を図面に基づいて詳述する。図１は全体の正面図、図２は同側面図、図３は正断面図、図４は側断面図である。転写テープ具は、合成樹脂製の平板形の支持体１を有している。この支持体に、２本のリール軸２・３を一体形成し、供給リール４と巻取リール５を各リール軸２・３に回転自在に軸支している。各リール４・５にプーリ６・７が一体形成されており、これらのプーリ６・７にＯリング形ゴムベルト８を張設している。従って、ベルト８を介して各リール４・５が連動して回転する。
【０００８】
また、前記支持体１の両面にスライドガイド９・１０を一体形成し、一方のガイド１０にテープヘッド１１を一体形成している。紙面などに不透明な塗料（または糊）を塗着する転写テープ１２を供給リール４に巻装して、転写テープ１２をテープヘッド１１によって紙面などに圧着させることにより、塗料（または糊）を紙面などに塗着し、塗料（または糊）を塗着後の転写テープ１２は巻取リール５に巻取られる。これにより、紙面の文字などの修正（または封筒の糊付）が行われる。
【０００９】
転写テープ具はテープケース１６を有する。テープケース１６は、２つ割面１３を介して合体させた合成樹脂製のケース本体１４・１５で形成されている。 前記支持体１は、前記スライドガイド９・１０の案内によって摺動するようにテープケース１６の内部に設けられている。前記テープヘッド１１を出入（突出・後退）させる開口１７をテープケース１６下側に形成しており、支持体１の上部には、請求項に記載した操作体として、テープケース１６上側に出入自在に突出する押ボタン１８を一体形成している。
また前記テープケース１６の内部には、テープヘッド１１が退入するよう支持体１を下方から弾圧するバネ１９が配置されている。前記ケース１６を握った手の指で押ボタン１８を押すことにより、バネ１９に抗して支持体１が前進し、図５乃至図７に示す如く、テープケース１の開口１７からテープヘッド１１が突出する。
【００１０】
また、図４及び図７に示すように、前記支持体１にフック２０を一体形成し、テープヘッド１１がケース１６から突出した使用状態でケース本体１５の突起２１に前記フック２０が係合するようになっている。フック２０と突起２１とは請求項に記載したロック体を構成しており、これらフック２０と突起２１の係合により、バネ１９に抗してテープヘッド１１がケース１６から突出した使用状態が維持され、転写テープ１２の塗料（または糊）を紙面などに塗着させる操作が行われる。
前記ケース本体１５に解除ボタン２２を一体形成している。図７のように、テープヘッド１１がケース１６から突出した状態下で解除ボタン２２を指で押込むと、解除ボタン２２がフック２０に当接してフック２０が突起２１から離脱し、バネ１９によって支持体１が摺動し、図４のようにテープヘッド１１がケース１６内部に後退する。
【００１１】
以上のように、転写テープ１２が巻かれる供給リール４と巻取リール５を支持体１に設け、前記支持体１をテープケース１６に内蔵した転写テープ具において、前記転写テープ１２を案内するテープヘッド１１を前記支持体１に設けると共に、前記テープケース１６に支持体１を摺動自在に設けて、テープケース１６の開口１７からテープヘッド１１が突出したり後退したりするようになっている。
【００１２】
また、支持体１を摺動させてテープヘッド１１を進出させる操作体である押ボタン１８を支持体１に設け、テープケース１６の外側に前記押ボタン１８を突出させると共に、テープヘッド１１を突出させた状態に係止させるロック体であるフック２０と、テープヘッド１１を退入させるバネ１９を設けており、前記テープヘッド１１の突出動を押ボタン１８によって行われるため、テープヘッド１１を指で握って出入させる操作などを不要にすると共に、指が転写テープ１２に接触して損傷させる等の不具合を無くしており、かつ、バネ１９によってテープヘッド１１を退入動作させるものであるため、テープヘッド１１を押込む操作などが不要になって、テープヘッド１１の押込によって転写テープ１２を損傷させる等の不具合をなくし、取扱い操作性の向上などを図る。
【００１３】
【００１４】
【００１５】
【発明の効果】
以上のとおり、本発明は、テープケース１６の内部にテープヘッド１１を退入させることにより、不使用（保管）時に転写テープ１２またはテープヘッド１１などが損傷するのを防止でき、テープヘッド１１を覆う従来のキャップを不要にし、キャップの脱着または摺動などの操作を省くことができ、脱着によってキャップを紛失する等の不具合もなくすことができると共に、テープヘッド１１を支持体１に設けることにより、テープヘッド１１を出入させてもテープヘッド１１と前記各リール４・５間の距離を略一定に保つことができ、転写テープ１２の張力を殆んど変化させることなくテープヘッド１１の出入を行うことができ、製造コストの低減、並びに取扱い操作性の向上などを容易に図ることができるものである。
【００１６】
また、操作体１８を支持体１に設け、テープケース１６の外側に前記操作体１８を突出させると共に、テープヘッド１１を突出させた状態に保持するロック体２０，２１と、テープヘッド１１を退入させるバネ１９と、ロック体２０，２１の係合を解除する解除ボタン２２とを設けたもので、前記テープヘッド１１の出入を操作体１８によって行うから、テープヘッド１１を指で握って出入させる操作などを不要にし、指が転写テープ１２に接触して損傷させる等の不具合をなくすことができると共に、バネ１９によってテープヘッド１１を後退動作させるから、テープヘッド１１を押込む操作などを不要にし、テープヘッド１１の押込によって転写テープ１２を損傷させる等の不具合をなくすことができ、取扱い操作性の向上などを容易に図ることができるものである。
【図面の簡単な説明】
【図１】全体の正面図である。
【図２】同側面図である。
【図３】正面断面図である。
【図４】側断面図である。
【図５】使用状態の正面図である。
【図６】使用状態の正断面図である。
【図７】使用状態の側断面図である。
【符号の説明】
１  支持体
４  供給リール
５  巻取リール
１１  テープヘッド
１２  転写テープ
１４，１５  ケース本体
１６  テープケース
１７  開口
１８  押ボタン（操作体）
１９  バネ
２０  フック（ロック体）
２１  突起（ロック体）
２２  解除ボタン
【図１】
0004338172.tif 000002
【図２】
0004338172.tif 000003
【図３】
0004338172.tif 000004
【図４】
0004338172.tif 000005
【図５】
0004338172.tif 000006
【図６】
0004338172.tif 000007
【図７】
0004338172.tif 000008